【手続補正書】
【提出日】平成16年10月7日(2004.10.7)
【手続補正１】
【補正対象書類名】明細書
【補正対象項目名】全文
【補正方法】変更
【補正の内容】
【書類名】  明細書
【発明の名称】  ヒートポンプ給湯機
【特許請求の範囲】
【請求項１】  圧縮機、放熱器、減圧装置、蒸発器を接続して冷媒回路を構成するヒートポンプと、貯湯槽と、前記貯湯槽の下部と上部を連通する水循環路に設けた循環手段、前記放熱器と熱交換をおこなう水熱交換器を接続した水循環回路と、前記貯湯槽からの出湯を検知する出湯検知手段と、前記出湯検知手段の信号に基づき前記貯湯槽からの出湯を検知した場合に前記ヒートポンプの運転を開始し、前記貯湯槽内の湯と前記水熱交換器からの湯を混合して出湯するよう制御する運転制御手段を有するヒートポンプ給湯機。
【請求項２】  貯湯層内の湯の温度を検出する湯量検知手段と、前記湯量検知手段の信号と、出湯検知手段の信号に基づき運転制御手段に信号を発信する制御器からなる請求項１記載のヒートポンプ給湯機。
【請求項３】  予め設定された時刻の間信号を発信する時計と、前記時計の信号と、出湯検知手段の信号に基づき運転制御手段に信号を発信する制御器からなる請求項１記載のヒートポンプ給湯機。
【請求項４】  風呂リモコンと、前記風呂リモコンの信号と、出湯検知手段の信号に基づき運転制御手段に信号を発信する制御器からなる請求項１記載のヒートポンプ給湯機。
【請求項５】  端末の出湯量を設定して出湯指令を発信する出湯操作手段と、前記出湯操作手段の信号と、出湯検知手段の信号に基づき運転制御手段に信号を発信する制御器からなる請求項１記載のヒートポンプ給湯機。
【請求項６】  水熱交換器からの湯は低温度の設定とする請求項１〜５のいずれか１項に記載のヒートポンプ給湯機。
【請求項７】  循環手段の循環量を制御する循環量制御部とを備え、前記循環流量制御部は、出湯検知手段の信号を受けて、循環量を最大に設定とする請求項１〜５のいずれか１項に記載のヒートポンプ給湯機。
【請求項８】  出湯検知手段は出湯の流量を検出する流量検出器とした請求項１〜５のいずれか１項に記載のヒートポンプ給湯機。
【請求項９】  出湯検知手段は出湯の温度を検出する温度検出器とした請求項１〜５のいずれか１項に記載のヒートポンプ給湯機。
【発明の詳細な説明】
【０００１】
【発明の属する技術分野】
本発明は、ヒートポンプ給湯機に関するものである。
【０００２】
【従来の技術】
従来、この種のヒートポンプ給湯機としては、例えば、特開平９−１２６５４７号公報に示す如きものがある。図１０は前記公報に記載された従来のヒートポンプ給湯機を示すものである。
【０００３】
図１０において、圧縮機１、放熱器２、減圧装置３、蒸発器４からなるヒートポンプ回路と貯湯槽５の下部から循環ポンプ６と前記放熱器２と熱交換する水熱交換器７を介し、貯湯槽５の上部へ接続した循環回路を構成し、水熱交換器７の出口側に温度検知器８、ミキシングバルブ９を設け、制御部として、湯温設定手段１０、回転数制御器１１、制御器１２、出湯温設定手段１３で構成される。回転数制御器１１は温度検知器８の信号が湯温設定手段１０の信号に一致するように循環ポンプ６の回転数を制御しながら追い焚き運転を行う。そして、追い焚き運転中に出湯が開始されると、前記ミキシングバルブ９で出湯温度を検出し、前記制御器１２に信号を送り、前記制御器１２で前記ミキシングバルブ９の信号と前記出湯温度設定手段１３の信号を比較して、残湯量が少なくなって、出湯温度が低下しはじめると、前記制御器１２は前記湯温設定手段１０の信号を前記出湯温度設定手段１３の信号と一致するように切り換える。
【０００４】
【発明が解決しようとする課題】
しかしながら、図１０に示す従来の構成では、貯湯槽５内の残湯温度がミキシングバルブ９の出湯温度設定値よりも低下しているために、ヒートポンプの沸き上げ温度を出湯温度設定値と同じにしてしまうと、ミキシングバルブ９の手前の時点で、貯湯槽５からの低温度の湯と、水熱交換器７からの湯とが混合して、出湯温度設定値よりも低い温度しか得られない、すなわち、必要湯量が確保されないといった課題がある。
【０００５】
本発明は、前記従来の課題を解決するもので、必要湯量を確保して、なおかつ、貯湯槽の小型化と省エネルギー効果の高いヒートポンプ給湯機を提供することを目的とする。
【０００６】
【課題を解決するための手段】
本発明は上記課題を解決するために、圧縮機、放熱器、減圧装置、蒸発器を接続して冷媒回路を構成するヒートポンプと、貯湯槽と、前記貯湯槽の下部と上部を連通する水循環路に設けた循環手段、前記放熱器と熱交換をおこなう水熱交換器を接続した水循環回路と、前記貯湯槽からの出湯を検知する出湯検知手段と、前記出湯検知手段の信号に基づき前記貯湯槽からの出湯を検知した場合に前記ヒートポンプの運転を開始し、前記貯湯槽内の湯と前記水熱交換器からの湯を混合して出湯するよう制御する運転制御手段を有するヒートポンプ給湯機である。
【０００７】
これによって、出湯検知手段が貯湯槽からの出湯を検知して、運転制御手段により、ヒートポンプを運転することで、貯湯槽内の湯とヒートポンプにより昇温された水熱交換器からの湯とが混合されて、端末側へ出湯されるために、貯湯槽からの出湯量が少なくてすみ、必要な給湯負荷に対して、常に必要湯量を確保して、なおかつ、貯湯槽を小型化でき、効率の良いヒートポンプを運転することで、省エネルギーとなるものである。
【０００８】
【発明の実施の形態】
請求項１に記載の発明は、圧縮機、放熱器、減圧装置、蒸発器を接続して冷媒回路を構成するヒートポンプと、貯湯槽と、前記貯湯槽の下部と上部を連通する水循環路に設けた循環手段、前記放熱器と熱交換をおこなう水熱交換器を接続した水循環回路と、前記貯湯槽からの出湯を検知する出湯検知手段と、前記出湯検知手段の信号に基づき前記貯湯槽からの出湯を検知した場合に前記ヒートポンプの運転を開始し、前記貯湯槽内の湯と前記水熱交換器からの湯を混合して出湯するよう制御する運転制御手段を有するヒートポンプ給湯機である。
【０００９】
これによって、出湯検知手段が貯湯槽からの出湯を検知して、運転制御手段により、ヒートポンプを運転することで、貯湯槽内の湯とヒートポンプにより昇温された水熱交換器からの湯とが混合されて、端末側へ出湯されるために、貯湯槽からの出湯量が少なくてすみ、必要な給湯負荷に対して、常に必要湯量を確保して、なおかつ、貯湯槽を小型化でき、効率の良いヒートポンプを運転することで、省エネルギーとなるものである。
【００１０】
請求項２に記載の発明は、特に、請求項１記載の出湯検知手段に加え、貯湯層内の湯の温度を検出する複数の湯量検知手段を設け、前記湯量検知手段の信号と、前記出湯検知手段の信号に基づき運転制御手段に信号を発信する制御器を備えたものである。
【００１１】
これによって、湯量検知手段の検知結果により、貯湯槽内の残湯量が予め設定された量以下でかつ、出湯検知手段により貯湯槽からの出湯が検知されたときに、運転制御手段により、ヒートポンプを運転することで、貯湯槽内の湯とヒートポンプにより昇温された水熱交換器からの湯とが混合されて、端末側へ出湯されるために、貯湯槽内の残湯が無くなる前に、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００１２】
請求項３に記載の発明は、特に、請求項１記載の出湯検知手段に加え、予め設定された時刻の間信号を発信する時計と、前記時計の信号と、前記出湯検知手段の信号に基づき前記運転制御手段に信号を発信する制御器を備えたものである。
【００１３】
これによって、給湯負荷が大きくなり、貯湯槽内の残湯が少なくなってくるであろう時刻を、予め設定しておき、この予め設定された時刻の間に、出湯検知手段により貯湯槽からの出湯が検知されたときに、運転制御手段により、ヒートポンプを運転することで、貯湯槽内の湯とヒートポンプにより昇温された水熱交換器からの湯とが混合されて、端末側へ出湯されるために、貯湯槽内に残湯が無くなる前に、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００１４】
請求項４に記載の発明は、特に、請求項１記載の出湯検知手段に加え、風呂リモコンと、前記風呂リモコンの信号と、前記出湯検知手段の信号に基づき前記運転制御手段に信号を発信する制御器を備えたものである。
【００１５】
これによって、風呂リモコンからの出湯の信号が発信される、給湯負荷の多い風呂への給湯を行うときに、運転制御手段により、ヒートポンプを運転することで、貯湯槽内の湯とヒートポンプにより昇温された水熱交換器からの湯とが混合されて、端末側へ出湯されるために、貯湯槽内の残湯が無くなる前に、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００１６】
請求項５に記載の発明は、特に、請求項１記載の出湯検知手段に加え、端末の出湯量を設定して出湯指令を発信する出湯操作手段と、前記出湯操作手段の信号と、前記出湯検知手段の信号に基づき前記運転制御手段に信号を発信する制御器を備えたものである。
【００１７】
これによって、出湯操作手段で出湯量を設定して出湯するときに、運転制御手段により、ヒートポンプを運転することで、貯湯槽内の湯とヒートポンプにより昇温された水熱交換器からの湯とが混合されて、端末側へ出湯されるために、貯湯槽内の残湯が無くなる前に、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００１８】
請求項６に記載の発明は、特に請求項１乃至５記載の構成に加え、水熱交換器からの湯は低温度の設定とすることにより、ヒートポンプの加熱能力と運転効率（ＣＯＰ）が向上し、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００１９】
請求項７に記載の発明は、特に、請求項１ないし５記載の構成に加え循環手段の循環量を制御する循環量制御部とを備え、前記循環流量制御部は、出湯検知手段の信号を受けて、循環量を最大に設定とすることにより、水熱交換器出口湯温が低くなり、ヒートポンプの加熱能力と運転効率（ＣＯＰ）が向上し、貯湯槽からの出湯量を少なくすることができ、必要な給湯負荷に対して、常に必要湯量を確保して、なおかつ、貯湯槽を小型化でき、効率の良いヒートポンプを運転することで、省エネルギーとなるものである。
【００２０】
請求項８に記載の発明は、特に、請求項１ないし５記載の出湯検知手段は出湯の流量を検知する流量検出器としたことにより、出湯の検出を確実に行うことで、ヒートポンプの確実な運転が可能となり、貯湯槽からの出湯量を少なく押さえ、必要な給湯負荷に対して、常に必要湯量を確保して、なおかつ、貯湯槽を小型化でき、効率の良いヒートポンプを運転することで、省エネルギーである。
【００２１】
請求項９に記載の発明は、特に、請求項１ないし５記載の出湯検知手段は出湯を温度検知する温度検出器としたことにより、出湯の検出を安価な温度検出器で確実に行うことで、ヒートポンプの確実な運転が可能となり、貯湯槽からの出湯量を少なく押さえ、必要な給湯負荷に対して、常に必要湯量を確保して、なおかつ、貯湯槽を小型化でき、効率の良いヒートポンプを運転することで、省エネルギーとなるものである。
【００２２】
【実施例】
以下、本発明の実施例について図面を参照しながら説明する。なお、従来例および各実施例において、同じ構成、同じ動作をするものについては同一符号を付し、一部説明を省略する。
【００２３】
（実施例１）
図１は、本発明の実施例１におけるヒートポンプ給湯機の構成図を示すものである。図１において、１は圧縮機、２は放熱器、３は減圧装置、４は蒸発器であり、前記圧縮機１，前記放熱器２、前記減圧装置３、前記蒸発器４は順次接続され、ヒートポンプ１４の冷媒回路を構成する。５は貯湯槽、６は循環ポンプ（循環手段）、７は前記放熱器２と熱交換する水熱交換器であり、前記循環ポンプ６および前記水熱交換器７は貯湯槽５の下部と上部を連通する水循環路を構成する。８は温度検知器であり、水熱交換器７の出口に設けられ、媒体温度を検出して、信号を発する。１５は湯温設定手段であり、沸き上げ湯温を設定する。１６は循環量制御部であり、前記温度検知器８の信号が前記湯温設定手段１５の信号に一致するように前記循環ポンプの回転数を制御する。１７は貯湯槽の給水管または出湯管に設けられた出湯検知手段で、例えば、流量計、流量スイッチ等を用いる。１８は運転制御手段で、前記出湯検知手段１６の信号に基づき前記ヒートポンプ１４の運転を制御する。１９は端末の出湯栓である。
【００２４】
以上のように構成されたヒートポンプ給湯機について、以下その動作、作用を説明する。前記湯温設定手段１５は、給湯負荷の多い場合には、高温湯（例えば、８０℃から９０℃）の沸き上げ設定をおこない、給湯負荷の少ない場合には、中温湯（例えば、６５℃から７５℃）の沸き上げ設定をおこなう。そして、前記圧縮機１から吐出された高温高圧の過熱ガス冷媒は前記熱交換器２に流入し、ここで前記循環ポンプ６から送られ前記水熱交換器７に流入した水を加熱する。その際に、放熱冷却された冷媒は、前記減圧装置３に流入し、ここで減圧されて前記蒸発器４に流入する。そして大気熱を吸熱して蒸発ガス化し、前記圧縮機１に戻る。
【００２５】
一方、前記貯湯槽５の下部から前記循環ポンプ６によって前記水熱交換器７に流入した水は冷媒の熱で加熱され、前記湯温設定手段１５で設定された湯温と一致ように、循環ポンプ６の回転数を制御して、前記貯湯槽５の上部に貯えられる。この運転を繰り返しながら前記貯湯槽５の上部から全体に貯湯する。通常、貯湯槽５内の残湯量がある量以下になると前記沸き上げ運転がおこなわれる。ここで、貯湯槽５内の残湯量が所定値以上存在して、ヒートポンプ１４が停止している場合に、端末の出湯栓１９が開かれ、貯湯槽５から出湯が発生すると、出湯検知手段１７が出湯を検知して、運転制御手段１８に出湯の信号を送り、運転制御手段１８はヒートポンプ１４の運転を開始するように、制御信号を送る。そして、出湯栓１９側へは貯湯槽５内の湯とヒートポンプ１４により昇温された水熱交換器７からの湯とが混合されて、出湯される。
【００２６】
以上のように、本実施例においては、圧縮機１、放熱器２、減圧装置３、蒸発器４を順次接続して冷媒回路を構成するヒートポンプ１４と、貯湯槽５と、前記貯湯槽５の下部と上部を連通する水循環路に設けた循環手段６、前記放熱器２と熱交換をおこなう水熱交換器７を順次接続した水循環回路と、前記水熱交換器７の出口に設けた温度検知器８と、沸き上げ湯温を設定する湯温設定手段１５と、前記温度検知器８の信号および前記湯温設定手段１５の信号に基づき前記循環手段６の循環量を制御する循環量制御部１６と、上記貯湯槽５からの出湯を検知する出湯検知手段１７と、前記出湯検知手段１７の信号に基づき前記ヒートポンプ１４の運転を制御する運転制御手段１８を備えたことにより、出湯検知手段１７が貯湯槽５からの出湯を検知して、運転制御手段１８により、ヒートポンプを運転することで、貯湯槽５内の湯とヒートポンプ１５により昇温された水熱交換器７からの湯とが混合されて、端末側へ出湯されるために、貯湯槽５からの出湯量が少なくてすみ、必要な給湯負荷に対して、常に必要湯量を確保して、なおかつ、貯湯槽５を小型化でき、効率の良いヒートポンプを運転することで、省エネルギーとなるものである。
【００２７】
なお、循環量制御を循環ポンプ６の回転数制御として説明したが、水循環路中に流量調節バルブを設けて循環量制御をおこなう構成としても同じ効果が得られる。
【００２８】
（実施例２）
図２は、本発明の実施例２におけるヒートポンプ給湯機の構成図を示すものである。図２において、第１の実施例と同じ構成、動作するものについては、同一符号とし、説明を省略する。２０は貯湯槽５内の湯の温度を検出する複数の湯量検知手段、２１は湯量検知手段２０の信号と、出湯検知手段１７の信号に基づき運転制御手段１８に信号を発信する制御器である。
【００２９】
以上のように構成されたヒートポンプ給湯機について、以下その動作、作用を説明する。湯量検知手段２０の検知結果により、貯湯槽５内の残湯量が予め設定された量（例えば、次の貯湯槽内沸き上げを開始するまでに、風呂湯張り、シャワー等で使用されると予測される使用湯量）以下であるという信号と、出湯検知手段１７により貯湯槽５からの出湯の信号とを受けて、制御器２１は、運転制御手段１８へ信号を送り、運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００３０】
以上のように、本実施例においては、出湯検知手段１７に加え、貯湯層５内の湯の温度を検出する複数の湯量検知手段２０を設け、前記湯量検知手段２０の信号と、前記出湯検知手段１７の信号に基づき運転制御手段１８に信号を発信する制御器２１を備えたことにより、貯湯槽５内の残湯量が予め設定された量以下で、貯湯槽５からの出湯が検知されたときに、ヒートポンプ１４を運転することで、貯湯槽５内の湯とヒートポンプ１４により昇温された湯とが混合されて、端末側へ出湯されるために、貯湯槽５内の残湯が無くなる前に、貯湯槽５からの出湯量を少なくすることで、必要な給湯負荷に対して、常に必要湯量を確保して、なおかつ、貯湯槽５を小型化でき、効率の良いヒートポンプを運転することで、省エネルギーとなるものである。
【００３１】
（実施例３）
図３は、本発明の実施例３におけるヒートポンプ給湯機の構成図を示すものである。図３において、２２は予め設定された時刻（例えば、風呂湯張り、シャワー等で湯を多量に使用する１７時から２２時）の間信号を発信する時計、２３は時計２２の信号と出湯検知手段１７の信号に基づき運転制御手段１８に信号を発信する制御器である。
【００３２】
以上のように構成されたヒートポンプ給湯機について、以下その動作、作用を説明する。時計２２が予め設定されて時刻の時間内であるという信号と、出湯検知手段１７により貯湯槽５からの出湯の信号とを受けて、制御器２３は、運転制御手段１８へ信号を送り、運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００３３】
以上のように、本実施例においては、出湯検知手段１７に加え、予め設定された時刻の間信号を発信する時計２２と、前記時計２２の信号と、前記出湯検知手段１７の信号に基づき前記運転制御手段１８に信号を発信する制御器２３を備えたことにより、給湯負荷が大きくなり、貯湯槽５内の残湯が少なくなってくるであろう時刻を、予め設定しておき、この予め設定された時刻の間に、出湯検知手段１７により貯湯槽５からの出湯が検知されたときに、運転制御手段１８により、ヒートポンプ１４を運転することで、貯湯槽５内の湯とヒートポンプ１４により昇温された水熱交換器７からの湯とが混合されて、端末側へ出湯されるために、貯湯槽５内の残湯が無くなる前に、貯湯槽５からの出湯量を少なくすることができ、必要な給湯負荷に対して、常に必要湯量を確保して、なおかつ、貯湯槽５を小型化でき、効率の良いヒートポンプを運転することで、省エネルギーとなるものである。
【００３４】
（実施例４）
図４は、本発明の実施例４におけるヒートポンプ給湯機の構成図を示すものである。図４において、２４は浴槽湯張り、シャワー等の湯温、湯量、出湯開始・終了等の指令・操作を行い、信号を発信する風呂リモコン、２５は風呂リモコンからの信号と、出湯検知手段１７の信号を受けて、運転制御手段１８へ信号を発信する制御器である。なお、風呂リモコン２４は浴室内に設置されるのが通常であるが、その他の台所等に設置されて、上記、風呂リモコン２４の機能を有するリモコンでもよい。
【００３５】
以上のように構成されたヒートポンプ給湯機について、以下その動作、作用を説明する。風呂リモコン２４で浴槽湯張り、シャワー等の湯温、湯量、出湯開始・終了等の指令・操作の信号と、出湯検知手段１７により貯湯槽５からの出湯の信号とを制御器２５で受けると、制御器２５は、運転制御手段１８へ信号を送り、運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００３６】
以上のように、本実施例においては、出湯検知手段１７に加え、風呂リモコン２４と、前記風呂リモコン２４の信号と、前記出湯検知手段１７の信号に基づき前記運転制御手段１８に信号を発信する制御器２５を備えたことにより、風呂リモコン２４からの出湯の信号が発信される給湯負荷の多い風呂への給湯を行うときに、運転制御手段１８により、ヒートポンプ１４を運転することで、貯湯槽５内の湯とヒートポンプ１４により昇温された水熱交換器７からの湯とが混合されて、端末側へ出湯されるために、貯湯槽５内の残湯が無くなる前に、貯湯槽からの出湯量を少なくすることができ、必要な給湯負荷に対して、常に必要湯量を確保して、なおかつ、貯湯槽５を小型化でき、効率の良いヒートポンプを運転することで、省エネルギーとなるものである。
【００３７】
（実施例５）
図５は、本発明の実施例５におけるヒートポンプ給湯機の構成図を示すものである。図５において、２６は端末の出湯量を設定して出湯指令を発信する出湯操作手段、２７は前記出湯操作手段２６の信号と、前記出湯検知手段１７の信号に基づき前記運転制御手段１８に信号を発信する制御器である。
【００３８】
以上のように構成されたヒートポンプ給湯機について、以下その動作、作用を説明する。出湯操作手段２６で端末の出湯量を設定して出湯指令が発信され、出湯検知手段１７で貯湯槽５からの出湯の信号も発信されると、制御器２７は前記二つの信号を受けて、運転制御手段１８へ信号を送り、運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００３９】
以上のように、本実施例においては、出湯検知手段１７に加え、端末の出湯量を設定して出湯指令を発信する出湯操作手段２６と、前記出湯操作手段２６の信号と、前記出湯検知手段１７の信号に基づき前記運転制御手段１８に信号を発信する制御器２７を備えたことにより、出湯操作手段２６である程度まとまった量の出湯量を設定して出湯するときに、運転制御手段１８により、ヒートポンプ１４を運転することで、貯湯槽５内の湯とヒートポンプ１４により昇温された水熱交換器７からの湯とが混合されて、端末側へ出湯されるために、貯湯槽５内の残湯が無くなる前に、貯湯槽５からの出湯量を少なくすることができ、必要な給湯負荷に対して、常に必要湯量を確保して、なおかつ、貯湯槽５を小型化でき、効率の良いヒートポンプを運転することで、省エネルギーとなるものである。
【００４０】
（実施例６）
図６は、本発明の実施例６におけるヒートポンプ給湯機の構成図を示すものである。図６において、湯温設定手段１５は複数の設定値を有し、必要に応じて、たとえば、給湯負荷の多い時には高温度設定、給湯負荷の少ないときには中温度ないし低温度の設定とするものである。
【００４１】
以上のように構成されたヒートポンプ給湯機について、以下その動作、作用を説明する。出湯検知手段１７により貯湯槽５からの出湯の信号が発信されると、運転制御手段１８はこの信号を受けてヒートポンプ１４を運転する。一方、湯温設定手段１５は前記出湯検知手段１７の信号を受けて、低温度の設定信号を循環量制御部１６へ発信し、循環量制御部１６は温度検知器８の信号が前記湯温設定手段１５の信号に一致するように前記循環ポンプの回転数を制御する。そして、貯湯槽５内の湯とヒートポンプ１４により昇温された水熱交換器７からの湯とが混合されて、端末側へ出湯される。
【００４２】
以上のように、本実施例においては、湯温設定手段１５は複数の設定値を有し、出湯検知手段１７の信号を受けて、低温度の設定としたことにより、ヒートポンプ１４の加熱能力と運転効率（ＣＯＰ）が向上し、貯湯槽５からの出湯量が少なくてすみ、必要な給湯負荷に対して、常に必要湯量を確保して、なおかつ、貯湯槽５を小型化でき、より効率の良いヒートポンプを運転することで、省エネルギーとなるものである。
【００４３】
なお、循環量制御を循環ポンプ６の回転数制御として説明したが、水循環路中に流量調節バルブを設けて循環量制御をおこなう構成としても同じ効果が得られる。
【００４４】
（実施例７）
図７は、本発明の実施例７におけるヒートポンプ給湯機の構成図を示すものである。図７において、循環流量制御部１６は出湯検知手段１７の信号を受けて、循環量を最大の設定とするものである。
【００４５】
以上のように構成されたヒートポンプ給湯機について、以下その動作、作用を説明する。出湯検知手段１７により貯湯槽５からの出湯の信号が発信されると、運転制御手段１８はこの信号を受けてヒートポンプ１４を運転する。一方、循環量設定部１６は前記出湯検知手段１７の信号を受けて、循環量を最大の設定とし、循環ポンプの回転数で運転する。そして、貯湯槽５内の湯とヒートポンプ１４により昇温された水熱交換器７からの湯とが混合されて、端末側へ出湯される。
【００４６】
以上のように、本実施例においては、循環流量制御部１６を出湯検知手段１７の信号を受けて、循環量を最大に設定とすることにより、水熱交換器７の出口湯温が低くなり、ヒートポンプ１４の加熱能力と運転効率（ＣＯＰ）が向上し、貯湯槽５からの出湯量が少なくてすみ、必要な給湯負荷に対して、常に必要湯量を確保して、なおかつ、貯湯槽５を小型化でき、効率の良いヒートポンプを運転することで、省エネルギーとなるものである。
【００４７】
なお、循環量制御を循環ポンプ６の回転数制御として説明したが、水循環路中に流量調節バルブを設けて循環量制御をおこなう構成としても同じ効果が得られる。
【００４８】
（実施例８）
図８は、本発明の実施例８におけるヒートポンプ給湯機の構成図を示すものである。図８において、２８は出湯検知手段１７を構成する流量検出器であり、出湯流れを検知して信号を発信する流量計または、流量スイッチ等を用いる。
【００４９】
以上のように構成されたヒートポンプ給湯機について、以下その動作、作用を説明する。端末側の出湯栓１９を開いて、貯湯槽５からの出湯をおこなうと、出湯検知手段１７を構成する流量検出器２８が出湯流れを検知して運転制御手段１８へ信号を発信し、運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００５０】
以上のように、本実施例においては、出湯検知手段１７は出湯の流量を検知する流量検出器２８としたことにより、出湯の検出を確実に行うことで、ヒートポンプ１４の確実な運転が可能となり、貯湯槽５からの出湯量を少なく押さえ、必要な給湯負荷に対して、常に必要湯量を確保して、なおかつ、貯湯槽５を小型化でき、効率の良いヒートポンプを運転することで、省エネルギーとなるものである。
【００５１】
（実施例９）
図９は、本発明の実施例９におけるヒートポンプ給湯機の構成図を示すものである。図９において、２９は貯湯槽５から出湯する湯温を検知して運転制御手段１８へ信号を発信する温度検出器で、出湯検知手段１７を構成する。
【００５２】
以上のように構成されたヒートポンプ給湯機について、以下その動作、作用を説明する。端末側の出湯栓１９を開いて、貯湯槽５からの出湯をおこなうと、出湯検知手段１７を構成する温度検出器２９が出湯温度の上昇を検出し、出湯の信号を運転制御手段１８へ発信する。運転制御手段１８はこの信号を受けて、ヒートポンプ１４を運転する。そして、貯湯槽５内の湯とヒートポンプ１４により昇温された水熱交換器７からの湯とが混合されて、端末側へ出湯される。
【００５３】
以上のように、本実施例においては、出湯検知手段１７は出湯の温度を温度検出する温度検出器２９としたことにより、出湯の検出を安価な温度検出器２９で確実に行うことで、ヒートポンプ１４の確実な運転が可能となり、貯湯槽５からの出湯量を少なく押さえ、必要な給湯負荷に対して、常に必要湯量を確保して、なおかつ、貯湯槽５を小型化でき、効率の良いヒートポンプを運転することで、省エネルギーとなるものである。
【００５４】
【発明の効果】
以上のように、請求項１〜９に記載の発明によれば、必要な給湯負荷に対して、常に必要湯量を確保して、なおかつ、貯湯槽を小型化でき、効率の良いヒートポンプを運転することで、省エネルギーとなるものである。
【図面の簡単な説明】
【図１】
本発明の実施例１におけるヒートポンプ給湯機の構成図
【図２】
本発明の実施例２におけるヒートポンプ給湯機の構成図
【図３】
本発明の実施例３におけるヒートポンプ給湯機の構成図
【図４】
本発明の実施例４におけるヒートポンプ給湯機の構成図
【図５】
本発明の実施例５におけるヒートポンプ給湯機の構成図
【図６】
本発明の実施例６におけるヒートポンプ給湯機の構成図
【図７】
本発明の実施例７におけるヒートポンプ給湯機の構成図
【図８】
本発明の実施例８におけるヒートポンプ給湯機の構成図
【図９】
本発明の実施例９におけるヒートポンプ給湯機の構成図
【図１０】
従来のヒートポンプ給湯機の構成図
【符号の説明】
１  圧縮機
２  熱交換器
３  減圧装置
４  蒸発器
５  貯湯槽
６  循環ポンプ（循環手段）
７  水熱交換器
８  温度検知器
１４  ヒートポンプ
１５  湯温設定手段
１６  循環量制御部
１７  出湯検知手段
１８  運転制御手段
２０  湯量検知手段
２１  制御器
２２  時計
２３  制御器
２４  風呂リモコン
２５  制御器
２６  出湯操作手段
２７  制御器
２８  流量検出器
２９  温度検出器